(57)【特許請求の範囲】
【請求項１】
入力されたスケジュール情報とアイコンを対応付けて記憶するスケジュール記憶手段と、
複数種類のアイコンに対応してそれぞれそのアイコンに対応した複数のアイコン情報を記憶しているアイコン情報記憶手段と、
前記複数種類のアイコンのうち任意のアイコンを選択するアイコン選択手段と、
このアイコン選択手段により選択されたアイコンに対応した複数のアイコン情報を前記アイコン情報記憶手段から読出し表示すると共に、前記アイコン選択手段により選択されたアイコンと同一のアイコンが前記スケジュール管理手段に記憶されている場合には、その同一のアイコンに対応付けられたスケジュール情報を表示する情報表示手段と、
この情報表示手段により表示された複数のアイコン情報とスケジュール情報から任意のアイコン情報又はスケジュール情報を選択する情報選択手段と、
この情報選択手段により選択されたアイコン情報又はスケジュール情報に前記アイコン選択手段により選択されたアイコンを対応付けて、新たなスケジュール情報として前記スケジュール記憶手段に登録するスケジュール登録手段と、
を具備したことを特徴とするスケジュール入力装置。
【請求項２】
前記情報選択手段により選択されたアイコン情報又はスケジュール情報に、さらに追加入力された情報を新たなスケジュール情報として、前記アイコン選択手段により選択されたアイコンを対応付けて前記スケジュール記憶手段に登録する追加登録手段を具備したことを特徴とする請求項１記載のスケジュール入力装置。
【請求項３】
表示部と記憶部とを有するスケジュール入力装置を制御するためのスケジュール入力方法であって、
入力されたスケジュール情報とアイコンを対応付けて前記記憶部に記憶するスケジュール記憶ステップと、
複数種類のアイコンに対応してそれぞれそのアイコンに対応した複数のアイコン情報を前記記憶部に記憶するアイコン情報記憶ステップと、
前記複数種類のアイコンのうち任意のアイコンを選択するアイコン選択ステップと、
このアイコン選択ステップにより選択されたアイコンに対応した複数のアイコン情報を前記記憶部から読出し表示すると共に、前記アイコン選択ステップにより選択されたアイコンと同一のアイコンが前記スケジュール記憶ステップにより前記記憶部に記憶されている場合には、その同一のアイコンに対応付けられたスケジュール情報を前記表示部に表示する情報表示ステップと、
この情報表示ステップにより前記表示部に表示された複数のアイコン情報とスケジュール情報から任意のアイコン情報又はスケジュール情報を選択する情報選択ステップと、
この情報選択ステップにより選択されたアイコン情報又はスケジュール情報に前記アイコン選択手段により選択されたアイコンを対応付けて、新たなスケジュール情報として前記記憶部に登録するスケジュール登録ステップと、
を具備したことを特徴とするスケジュール入力方法。
【発明の詳細な説明】
【０００１】
【産業上の利用分野】
本発明は、スケジュールを登録する電子手帳等のスケジュール入力装置及びスケジュール入力方法に関する。
【０００２】
【従来の技術】
従来、電子手帳では、キー操作により入力される文字や記号の配列によりスケジュールデータやメモデータを作成して表示させ、これを内部メモリに登録させることで、この内部メモリから必要に応じてスケジュールデータやメモデータを検索して表示させ、確認できるようにしている。
【０００３】
ここで、前記スケジュールデータやメモデータは、キー入力による文字や記号の配列により作成されるが、例えばスケジュールの内容は、各個人のそれぞれにおいては、１週単位あるいは１か月単位である程度決まったものとなるため、スケジュールデータを入力する度に、似たような内容のデータを繰返しキー入力しなければならない。
【０００４】
【発明が解決しようとする課題】
したがって、従来の電子手帳では、スケジュールデータの入力が面倒で手間が掛かるという問題がある。
本発明は、前記のような問題に鑑みなされたもので、データ入力の都度、そのデータ内容を一々文字入力する必要なく、スケジュールの入力を容易に行なうことが可能になるスケジュール入力装置及びスケジュール入力方法を提供することを目的とする。
【０００５】
【課題を解決するための手段】
すなわち、本発明の請求項１に係わるスケジュール入力装置は、入力されたスケジュール情報とアイコンを対応付けて記憶するスケジュール記憶手段と、複数種類のアイコンに対応してそれぞれそのアイコンに対応した複数のアイコン情報を記憶しているアイコン情報記憶手段と、前記複数種類のアイコンのうち任意のアイコンを選択するアイコン選択手段と、このアイコン選択手段により選択されたアイコンに対応した複数のアイコン情報を前記アイコン情報記憶手段から読出し表示すると共に、前記アイコン選択手段により選択されたアイコンと同一のアイコンが前記スケジュール管理手段に記憶されている場合には、その同一のアイコンに対応付けられたスケジュール情報を表示する情報表示手段と、この情報表示手段により表示された複数のアイコン情報とスケジュール情報から任意のアイコン情報又はスケジュール情報を選択する情報選択手段と、この情報選択手段により選択されたアイコン情報又はスケジュール情報に前記アイコン選択手段により選択されたアイコンを対応付けて、新たなスケジュール情報として前記スケジュール記憶手段に登録するスケジュール登録手段と、を具備したことを特徴とする。
【０００６】
また、本発明の請求項２に係わるスケジュール入力装置は、請求項１に記載のスケジュール入力装置にあって、前記情報選択手段により選択されたアイコン情報又はスケジュール情報に、さらに追加入力された情報を新たなスケジュール情報として、前記アイコン選択手段により選択されたアイコンを対応付けて前記スケジュール記憶手段に登録する追加登録手段を具備したことを特徴とする。
【００１２】
【作用】
つまり、前記請求項１に係わるスケジュール入力装置では、複数種類のアイコンのうち任意のアイコンを選択すると、この選択アイコンに対応してアイコン情報記憶手段に記憶された該選択アイコンと対応する複数のアイコン情報が読出されて表示されると共に、該選択アイコンと同一のアイコンが、スケジュール情報にアイコンを対応付けて記憶するスケジュール記憶手段に記憶されている場合には、その同一のアイコンの全てに対応するスケジュール情報も読出されて表示され、この表示された複数のアイコン情報とスケジュール情報から任意の情報データを選択すると、その選択情報データに前記選択アイコンが対応付けられて前記スケジュール記憶手段に登録されるので、例えばスケジュール入力に際し、会議を表現するアイコンを選択すれば、その会議アイコンに対応してアイコン情報記憶手段に関係付けられて記憶された「定期会議」や「特別会議」等の複数のアイコン情報が表示されると共に、スケジュール記憶手段に既に登録されている会議関係の全てのスケジュール情報も表示され、これらアイコン情報として記憶させた情報やスケジュール登録済みの情報から任意の情報を選択することにより、新たな会議スケジュールが同選択アイコンを対応付けて登録されることになる。
【００１３】
また、前記請求項２に係わるスケジュール入力装置では、ユーザが選択したアイコン情報又はスケジュール情報に、さらに追加入力した情報を新たなスケジュール情報として、選択されたアイコンを対応付けてスケジュール記憶手段に登録できる。例えば、選択したアイコン情報が「定期会議」であった場合に、ユーザ入力により「山田係長」が追加された「定期会議山田係長」が会議のアイコンに対応づけてスケジュール記憶手段に登録されるので、アイコン情報又はスケジュール情報に追加入力したスケジュールを適切かつ容易に入力することができる。
【００１８】
【実施例】
以下図面により本発明の実施例について説明する。
図１は本発明の入力装置を実施した電子手帳の電子回路の構成を示すブロック図である。
【００１９】
この電子手帳はＣＰＵ１１を備えている。
前記ＣＰＵ１１は、キー入力部１２からのキー入力信号に応じて、ＲＯＭ１３に予め記憶されているシステムプログラムを起動させ、回路各部の動作制御を実行するもので、このＣＰＵ１１には、前記キー入力部１２，ＲＯＭ１３の他、ＲＡＭ１４が接続されると共に、表示駆動回路１６を介してカラー液晶表示部１７が接続される。
【００２０】
前記キー入力部１２には、電源の投入／遮断を行なう「ＯＮ／ＯＦＦ」キー１２ａ、文字，数字，記号の入力を行なうための文字・記号入力キー１２ｂ、動作モードの選択画面を表示させるための「モード」キー１２ｃ、表示画面上で選択されたデータを確定したりデータ入力を確定したりするための「ＯＫ」キー１２ｄ、表示画面上に入力されて表示されたデータを記憶して保存する際に操作される「入力」キー１２ｅ、表示画面上でカーソルの移動を行なう際に操作される「↑」キー１２ｆ、「↓」キー１２ｇ、「→」キー１２ｈ、「←」キー１２ｉ、ＲＯＭ１３やＲＡＭ１４において複数種類のアイコンのそれぞれに対応して記憶されているそのアイコンの内容を示す文字列データを任意のアイコンについて検索する際に操作される「△」キー１２ｊ、「▽」キー１２ｋ等、各種の機能キーが設けられる。
【００２１】
前記ＲＯＭ１３には、ＣＰＵ１１を制御動作させるためのシステムプログラムが予め記憶されると共に、任意のアイコンに対応してそのアイコンの意味する内容を入力して保存するためのアイコンデータ入力モードや、スケジュールデータの入力／検索を行なうためのスケジュールモード、カレンダ表示を行なうためのカレンダモード、メモデータの入力／検索を行なうためのメモモード等、各種の動作モードに応じたサブプログラムが予め記憶される。
【００２２】
前記ＲＡＭ１４には、データＲＡＭ１４ａ及びアイコンリンクテーブルＲＡＭ１４ｂが備えられる。
図２は前記電子手帳のＲＡＭ１４に備えられるレジスタの構成を示す図であり、同図（Ａ）はデータＲＡＭ１４ａの構成を示す図、同図（Ｂ）はアイコンリンクテーブルＲＡＭ１４ｂの構成を示す図である。
【００２３】
前記データＲＡＭ１４ａには、現在の設定動作モードを示すモードデータがセットされるモードデータレジスタＭ、カラー液晶表示部１７に表示させるべき被表示データがビットマップデータとして記憶される表示レジスタ１５ａ、ＣＰＵ１１に内蔵されたタイマの動作に従って現在の年月日，時刻が逐次更新されて記憶される計時レジスタ１５ｂ、スケジュールモードにおいて入力あるいは検索されるスケジュールデータがそのスケジュールの内容を意味するアイコン及び文字列データとして年月日，時刻データに対応付けられて登録されるスケジュールデータレジスタ１５ｃ、メモモードにおいて入力あるいは検索されるメモデータがそのメモの内容を意味するアイコン及び文字列データとして登録されるメモデータレジスタ１５ｄ等が備えられる。
【００２４】
また、前記アイコンリンクテーブルＲＡＭ１４ｂには、アイコンデータ入力モードにおいて各種のアイコンに対応して入力された当該アイコンの意味する内容を示す文字列データが、そのそれぞれのアイコンＮｏに対応付けられて記憶される。
【００２５】
前記カラー液晶表示部１７には、前記キー入力部１２からのキー入力データが表示される他、各種の動作モードに対応した画面データがユーザ操作に応じてカラー表示される。
【００２６】
次に、前記構成による入力装置を実施した電子手帳の動作について説明する。
図３は前記電子手帳におけるキー操作対応処理を示すフローチャートである。
図４は前記電子手帳におけるアイコンデータ入力処理を示すフローチャートである。
【００２７】
図５は前記電子手帳におけるスケジュールデータ入力処理を示すフローチャートである。
図６は前記電子手帳のスケジュールデータ入力処理に伴なう液晶表示部１７の表示状態を示す図である。
【００２８】
図３におけるキー操作対応処理において、キー入力部１２における「モード」キー１２ｃを操作すると、液晶表示部１７に対し、各種の動作モードを絵文字で表現したモード選択画面［図６（Ａ）参照］がカラー表示される（ステップＳ１→Ｓ２）。
【００２９】
この場合、例えば電話の絵文字は電話番号モード、時計の絵文字はスケジュールモード、メモ帳の絵文字はメモモード、「アイコン」と書かれた絵文字はアイコンデータ入力モードを表現している。
【００３０】
ここで、カーソルキー１２ｆ〜１２ｉを操作すると、前記モード選択画面に表示されている各種動作モードの絵文字が選択的に反転表示され、「ＯＫ」キー１２ｄを操作することで、その選択位置に対応した動作モードが設定される（ステップＳ３→Ｓ４）。
【００３１】
このモード選択処理において、アイコンデータ入力モードが設定された場合には、アイコンデータ入力処理に移行する（ステップＳ５→ＳＡ）。
また、スケジュールモードが設定された場合には、スケジュール入力／検索処理に移行する（ステップＳ６→ＳＢ）。
【００３２】
また、カレンダモードが設定された場合には、カレンダ表示処理に移行する（ステップＳ７→Ｓ８）。
また、メモモードが設定された場合には、メモ入力／検索処理に移行する。
【００３３】
そして、「ＯＮ／ＯＦＦ」キー１２ａの操作により電源がオフされると、動作電源が遮断され、保存データの確保や時刻データの更新等を除き機能停止状態となる。
【００３４】
このようなモード選択処理において、アイコンデータ入力モードが設定されると、図４におけるアイコンデータ入力処理が起動され、ＲＯＭ１３に予め記憶されている複数種類のアイコンが液晶表示部１７にアイコン選択画面としてカラー表示される。
【００３５】
ここで、カーソルキー１２ｆ〜１２ｉを操作すると、そのキー操作毎に、前記液晶表示部１７に表示されている複数種類のアイコンのうちの１つが選択的に反転表示されて移動される（ステップＡ１→Ａ２）。
【００３６】
このカーソル操作によるアイコン選択画面上での反転表示アイコンの移動操作状態において、所望のアイコンを選択指定して「ＯＫ」キー１２ｄを操作すると、アイコン選択画面の表示中であることが判断され、該カーソル指定されたアイコンに対応するアイコンＮｏ（例えば「ＣＯＮＦＥＲ」のアイコンを選択した場合には“１”、「ＨＯＴＥＬ」のアイコンを選択した場合には“２”、「ＲＥＰＯＲＴ」のアイコンを選択した場合には“３”、「ＣＡＬＬ」のアイコンを選択した場合には“４”）がアイコンリンクテーブルＲＡＭ１４ｂにセットされ、そのアイコンに対応した内容を示す文字列データの入力待ち状態となる（ステップＡ３→Ａ４→Ａ５，Ａ６）。
【００３７】
ここで、キー入力部１２の文字・記号入力キー１２ｂを操作して、例えば「ＣＯＮＦＥＲ」のアイコンを選択した状態で「特別会議」と入力したり、あるいは「ＣＡＬＬ」のアイコンを選択した状態で「佐藤打合せ」と入力したりして、「入力」キー１２ｅを操作すると、図２（Ｂ）に示すように、アイコンリンクテーブルＲＡＭ１４ｂには、選択されたアイコンＮｏと対応付けられて前記入力された文字列データがアイコンデータとして記憶され保存される（ステップＡ７→Ａ８）。
【００３８】
すなわち、前記アイコンデータ入力処理では、ＲＯＭ１３内に予め用意されている複数種類のアイコンのそれぞれに対し、そのアイコンの示す意味をユーザが任意の内容で文字入力し、アイコンリンクテーブルＲＡＭ１４ｂに予め記憶しておくことができる。
【００３９】
一方、前記キー入力部１２の「モード」キー１２ｃの操作に応じて、図６（Ａ）に示すように、モード選択画面が表示された状態で、「→」キー１２ｈを２回操作して時計の絵文字を選択し「ＯＫ」キー１２ｄを操作すると、図５におけるスケジュール入力処理が起動され、まず、液晶表示部１７の表示画面が、前記モード選択画面から、図６（Ｂ）に示すように、スケジュールの日時，アラーム時刻の入力を促す日時入力要求画面に切換えられる（ステップＢ１→Ｂ２）。
【００４０】
ここで、キー入力部１２の文字・記号入力キー１２ｂを操作して、例えば会議のスケジュールを入力するのに、そのスケジュールの日時及びアラーム時刻を入力し、「ＯＫ」キー１２ｄを操作すると、図６（Ｃ）に示すように、液晶表示部１７の表示画面が、前記日時入力要求画面からアイコン選択画面に切換えられる（ステップＢ１→Ｂ２）。
【００４１】
このアイコン選択画面において、「ＣＯＮＦＥＲ」（会議）のアイコンを選択して反転表示させ、「ＯＫ」キー１２ｄを操作すると、図６（Ｄ）に示すように、液晶表示部１７の表示画面が、前記アイコン選択画面から選択された「ＣＯＮＦＥＲ」のアイコンに対応したアイコンデータの選択画面に切換えられる（ステップＢ１→Ｂ２）。
【００４２】
すなわち、このアイコンデータ選択画面としては、選択された「ＣＯＮＦＥＲ」のアイコン（Ｎｏ．１）に対応するアイコンデータが、まず、アイコンリンクテーブルＲＡＭ１４ｂから読出されて表示されるもので、ここで、「△」キー１２ｊ又は「▽」キー１２ｋを操作すると、アイコンデータの表示中であることが判断され、前記アイコンデータ選択画面としてアイコンリンクテーブルＲＡＭ１４ｂから読出されて表示されている選択アイコン（Ｎｏ．１）に対応したアイコンデータが、そのキー操作毎に順次読出し位置が更新されて表示される（ステップＢ３→Ｂ４→Ｂ５）。
【００４３】
ここで、前記アイコンリンクテーブルＲＡＭ１４ｂに記憶された選択アイコンに対応するアイコンデータの全てが、前記「△」キー１２ｊ又は「▽」キー１２ｋの操作に応じて読出されて表示された場合には、続いて、データＲＡＭ１４ａのスケジュールデータレジスタ１５ｃに既に登録されているスケジュールデータの中から、選択アイコンと一致するアイコンを対応付けて記憶しているスケジュール内容（文字列データ）が読出され、前記日時入力要求画面に従って入力したスケジュール日時に近い日時データを有するスケジュールデータ順に表示される。
【００４４】
そして、前記選択アイコンに対応してアイコンリンクテーブルＲＡＭ１４ｂに記憶さているアイコンデータの中、及びスケジュールデータレジスタ１５ｃに既に登録されているスケジュールデータの中から、今回入力したい会議スケジュールに最も相応しい内容の文字列を表示指定した状態で「ＯＫ」キー１２ｄを操作すると、例えば図６（Ｅ）に示すように、前記アイコンリンクテーブルＲＡＭ１４ｂから読出されてユーザ指定されたアイコン文字列データ「定期会議」が選択アイコン「ＣＯＮＦＥＲ」と共にそのスケジュール内容として展開されたスケジュール設定画面が、前記アイコンデータ選択画面から切換わって表示される（ステップＢ１→Ｂ２）。
【００４５】
こうして、スケジュール日時，アラーム時刻，スケジュール内容が設定されたスケジュール設定画面において、さらに、文字・記号入力キー１２ｂを操作してそのスケジュール内容に、例えば「山田係長」と追加入力し、「入力」キー１２ｅを操作すると、このスケジュール設定画面上に表示設定されている所望のスケジュールの日時，アラーム時刻，スケジュール内容，アイコンが、それぞれ対応付けられて、データＲＡＭ１４ａ内のスケジュールデータレジスタ１５ｃに対し、その日時順にソートされて登録保存される（ステップＢ６→Ｂ７）。
【００４６】
すなわち、前記スケジュール入力処理では、入力したいスケジュールに対応するアイコンを指定するだけで、その具体的なスケジュール内容を、アイコンリンクテーブルＲＡＭ１４ｂに予めアイコンに対応させて記憶させたアイコンデータあるいはスケジュールデータレジスタ１５ｃに既にスケジュール入力されて対応アイコンと共に登録されているスケジュール内容の中から選んで新たなスケジュールデータとして登録させることができる。
【００４７】
したがって、前記構成の入力装置を実施した電子手帳によれば、ＲＯＭ１３内に予め用意されている複数種類のアイコンのそれぞれに対し、そのアイコンの示す意味をユーザが任意の内容で文字入力し、アイコンリンクテーブルＲＡＭ１４ｂに予め記憶させ、スケジュール入力の際には、アイコン選択画面において入力したいスケジュールに対応するアイコンを指定すると、その具体的なスケジュール内容が、アイコンリンクテーブルＲＡＭ１４ｂに予めアイコンに対応させて記憶させたアイコンデータあるいはスケジュールデータレジスタ１５ｃに既にスケジュール入力されて対応アイコンと共に登録されているスケジュール内容として表示され、この中から何れか相応しいスケジュール内容を選択することで新たなスケジュールデータとして前記スケジュールデータレジスタ１５ｃに登録保存されるので、例えばスケジュールの内容が、１週単位あるいは１か月単位である程度決まったものとなっていても、スケジュールデータを入力する度に、似たような内容のデータを繰返し文字キー操作により入力する必要はなく、非常に簡単にスケジュール入力を行なうことができるようになる。
【００４８】
なお、前記実施例では、スケジュールデータを入力する場合について説明したが、メモデータを入力する場合でも、前記同様にアイコン選択して、そのアイコンに対応してアイコンリンクテーブルＲＡＭ１４ｂに記憶されているアイコンデータあるいはメモデータレジスタ１５ｄに既にメモ入力されて対応アイコンと共に登録されているメモ内容の中から何れか相応しいメモ内容を選択することで、非常に簡単にメモ入力を行なうことができるようになる。
【００４９】
【発明の効果】
以上のように、本発明の請求項１に係わるスケジュール入力装置によれば、複数種類のアイコンのうち任意のアイコンを選択すると、この選択アイコンに対応してアイコン情報記憶手段に記憶された該選択アイコンと対応する複数のアイコン情報が読出されて表示されると共に、該選択アイコンと同一のアイコンが、スケジュール情報にアイコンを対応付けて記憶するスケジュール記憶手段に記憶されている場合には、その同一のアイコンの全てに対応するスケジュール情報も読出されて表示され、この表示された複数のアイコン情報とスケジュール情報から任意の情報データを選択すると、その選択情報データに前記選択アイコンが対応付けられて前記スケジュール記憶手段に登録されるので、例えばスケジュール入力に際し、会議を表現するアイコンを選択すれば、その会議アイコンに対応してアイコン情報記憶手段に関係付けられて記憶された「定期会議」や「特別会議」等の複数のアイコン情報が表示されると共に、スケジュール記憶手段に既に登録されている会議関係の全てのスケジュール情報も表示され、これらアイコン情報として記憶させた情報やスケジュール登録済みの情報から任意の情報を選択することにより、新たな会議スケジュールが同選択アイコンを対応付けて登録されるようになる。
【００５０】
また、本発明の請求項２に係わるスケジュール入力装置によれば、ユーザが選択したアイコン情報又はスケジュール情報に、さらに追加入力した情報を新たなスケジュール情報として、選択されたアイコンを対応付けてスケジュール記憶手段に登録できる。例えば、選択したアイコン情報が「定期会議」であった場合に、ユーザ入力により「山田係長」が追加された「定期会議山田係長」が会議のアイコンに対応づけてスケジュール記憶手段に登録されるので、アイコン情報又はスケジュール情報に追加入力したスケジュールを適切かつ容易に入力することができるようになる。
【００５５】
よって、本発明によれば、データ入力の都度、そのデータ内容を一々文字入力する必要なく、スケジュールの入力を容易に行なうことが可能になるスケジュール入力装置を提供できる。
【図面の簡単な説明】
【図１】本発明の入力装置の実施例に係わる電子手帳の電子回路の構成を示すブロック図。
【図２】前記電子手帳のＲＡＭに備えられるレジスタの構成を示す図であり、同図（Ａ）はデータＲＡＭの構成を示す図、同図（Ｂ）はアイコンリンクテーブルＲＡＭの構成を示す図。
【図３】前記電子手帳におけるキー操作対応処理を示すフローチャート。
【図４】前記電子手帳におけるアイコンデータ入力処理を示すフローチャート。
【図５】前記電子手帳におけるスケジュールデータ入力処理を示すフローチャート。
【図６】前記電子手帳のスケジュールデータ入力処理に伴なう液晶表示部の表示状態を示す図。
【符号の説明】
１１…ＣＰＵ、１２…キー入力部、１２ａ…「ＯＮ／ＯＦＦ」キー、１２ｂ…文字・記号入力キー、１２ｃ…「モード」キー、１２ｄ…「ＯＫ」キー、１２ｅ…「入力」キー、１２ｆ…「↑」キー、１２ｇ…「↓」キー、１２ｈ…「→」キー、１２ｉ…「←」キー、１２ｊ…「△」キー、１２ｋ…「▽」キー、１３…ＲＯＭ、１４…ＲＡＭ、１４ａ…データＲＡＭ、１４ｂ…アイコンリンクテーブルＲＡＭ、Ｍ…モードデータレジスタ、１５ａ…表示レジスタ、１５ｂ…計時レジスタ、１５ｃ…スケジュールデータレジスタ、１５ｄ…メモデータレジスタ、１６…表示駆動回路、１７…カラー液晶表示部。
【図１】
0003849153.tif 000002
【図２】
0003849153.tif 000003
【図３】
0003849153.tif 000004
【図４】
0003849153.tif 000005
【図５】
0003849153.tif 000006
【図６】
0003849153.tif 000007